(57)【要約】【課題】  老若男女を問わず配給テーブルの利用者が配給テーブル上の搬送物を容易に且つ安全に取り扱うことができる配給テーブルを提供することを目的とする【解決手段】  所定形状の固定天板２と、前記固定天板４の中心寄りに設けられた少なくとも非磁性体の肉薄天板部４と、該肉薄天板部４下方に配設され駆動装置１３によって循環移動される磁性体もしくは永久磁石１０からなる第１磁性部材と、前記肉薄天板部４上に載置され前記第１磁性部材に影響(吸引若しくは反発)される磁性体もしくは永久磁石１６からなる第２磁性部材を有する搬送物と、を備える。【選択図】  図３
2005143673.tif 000002
【特許請求の範囲】
【請求項１】
所定形状の固定天板と、前記固定天板の中心寄りに設けられた少なくとも非磁性体の肉薄天板部と、該肉薄天板部下方に配設され駆動装置によって循環移動される磁性体もしくは永久磁石からなる第１磁性部材と、前記肉薄天板部上に載置され前記第１磁性部材に影響(吸引若しくは反発)される磁性体もしくは永久磁石からなる第２磁性部材を有する搬送物と、を備えることを特徴とする配給テーブル。
【請求項２】
前記第１磁性部材は、円板状の支持部材の外周部近傍に所定数配設されており、前記支持部材は前記肉薄天板部の下方近傍を移動するようになっている請求項１に記載の配給テーブル。
【請求項３】
前記肉薄天板部は、筒状の天板保持枠に保持され、かつ周辺に配置される固定天板に対して前記第１磁性部材とともに昇降自在に配置されている請求項１または２に記載の配給テーブル。
【請求項４】
前記円板状の支持部材を回動させる前記駆動装置のオン・オフ用のスイッチが、テーブル本体の所定箇所に取付けられている請求項１ないし３のいずれかに記載の配給テーブル。
【請求項５】
前記天板、前記円板状の支持部材を回動させる前記駆動装置は、正転と逆転の駆動を選択できるようになっている請求項１ないし４のいずれかに記載の配給テーブル。
【発明の詳細な説明】
【技術分野】
【０００１】
本発明は、可動領域と固定領域とを有し、機能性の高い配給テーブルに関する。
【背景技術】
【０００２】
従来、固定テーブルに加えて、上部に回転テーブルを有する大型テーブルがあり、回転テーブルは主に中華レストラン等の飲食店のテーブルとして使用されている。例えば、従業員によって大型飲食皿に盛られた飲食物が前記回転テーブルの回転台に配膳され、従業員または客が前記飲食物を多数の飲食皿に取り分け、この取り分けられた各飲食皿を上段の回転台に乗せ、前記回転台を手動で回動し、各飲食者の前面まで配膳するように利用されたり、所望する大皿の飲食物を自分の席の前まで動かし座ったままで自分の小皿に取る様にも利用できる。
【発明の開示】
【発明が解決しようとする課題】
【０００３】
しかしながら、このような回転テーブルの回転台を回動させる場合、回転台上には大型飲食皿や調味料、さらには各種食器が載置されており、子供や老人が回転台を回動しようとしても、その重量のために回動し辛く、またその際、飲食皿の料理やスープ類をこぼし、テーブルを汚したり、熱いスープ類で火傷をする恐れがあった。
【０００４】
本発明は、このような問題点に着目してなされたもので、老若男女を問わず配給テーブルの利用者が配給テーブル上の搬送物を容易に且つ安全に取り扱うことができる配給テーブルを提供することを目的とする。
【課題を解決するための手段】
【０００５】
上記課題を解決するために、本発明の請求項１に記載の配給テーブルは、所定形状の固定天板と、前記固定天板の中心寄りに設けられた少なくとも非磁性体の肉薄天板部と、該肉薄天板部下方に配設され駆動装置によって循環移動される磁性体もしくは永久磁石からなる第１磁性部材と、前記肉薄天板部上に載置され前記第１磁性部材に影響(吸引若しくは反発)される磁性体もしくは永久磁石からなる第２磁性部材を有する搬送物と、を備えることを特徴としている。
この特徴によれば、天板の非磁性体の肉薄天板部に、移動させたい搬送物を載置し、駆動装置を駆動させて第１磁性部材を循環移動させるだけで、天板自体を回動することなく搬送物のみを自動的に回動できることになる。したがって回転台や回転の必要ない物品を移動させないために駆動力が少なくてすみ、かつテーブルで作業する者や飲食者に迷惑もかからず、配給テーブル上の搬送物を容易に且つ安全に取り扱うことができることになる。
【０００６】
本発明の請求項２に記載の配給テーブルは、請求項１に記載の配給テーブルであって、前記第１磁性部材は、円板状の支持部材の外周部近傍に所定数配設されており、前記支持部材は前記肉薄天板部の下方近傍を移動するようになっていることを特徴としている。
この特徴によれば、第１磁性部材は、円板状の支持部材の外周に配置され駆動されるようになっているため、第１磁性部材の個数を自由に選択できる。
【０００７】
本発明の請求項３に記載の配給テーブルは、請求項１または２に記載の配給テーブルであって、前記肉薄天板部は、筒状の天板保持枠に保持され、かつ周辺に配置される固定天板に対して前記第１磁性部材とともに昇降自在に配置されていることを特徴としている。
この特徴によれば、前記肉薄天板部を固定天板に対して相対的に高さを変えて利用することにより、搬送物の移動する通路部分と、搬送物の通路でない利用可能位置とを容易に区別できることになるばかりか、肉薄天板部と固定天板とを同レベルで使用すると一般のテーブルのように広い天板の利用が可能となる。
【０００８】
本発明の請求項４に記載の配給テーブルは、請求項１ないし３のいずれかに記載の配給テーブルであって、前記円板状の支持部材を回動させる前記駆動装置のオン・オフ用のスイッチが、配給テーブルの所定箇所に取付けられていることを特徴としている。
この特徴によれば、利用者はテーブルに面した状態でスイッチを操作して搬送物の回動制御ができる。
【０００９】
本発明の請求項５に記載の配給テーブルは、請求項１ないし４のいずれかに記載の配給テーブルであって、前記円板状の支持部材を回動させる前記駆動装置は、正転と逆転の駆動を選択できるようになっていることを特徴としている。
この特徴によれば、搬送物を搬送終点に近い方向へ回動させることができるため、搬送効率を高めることができることになる。
【発明を実施するための最良の形態】
【００１０】
本発明の実施例を以下に説明する。
【実施例１】
【００１１】
本発明の実施例を図面に基づいて説明すると、先ず図1は、本発明の第１実施形態における配給テーブルの全体像を示す斜視図であり、図２は本発明の第１実施形態における配給テーブルの使用例を示す斜視図であり、図３は図２のＡ−Ａ線の断面図であり、図４は図１の配送機構部の分解斜視図であり、図５は本実施例の肉薄天板を取り外した平面図であり、図６は図３の一部拡大断面図であり、図７は別の実施例の肉薄天板を取り外した平面図であり、図８は別の実施例の配給テーブルの使用例を示す斜視図である。
【００１２】
まず、図１に示すように、本実施例の配給テーブル１は、固定天板２と、前記固定天板２の中心寄りに設けられた少なくとも非磁性体からなる肉薄天板部４と、脚５と、ハンドル６と、昇降ガイド杵７と、から構成されており、一見普通のテーブルと同様な構成になっている。しかし、図２に示されるように前記した肉薄天板部４は、筒状の天板保持枠３に保持され、かつ周辺に配置される固定天板２に対して昇降自在になっている。すなわち中央寄りの肉薄天板部４および天板保持枠３は、使用状況や環境に応じて図１の状態と図２の状態をそれぞれ選択して使用できるようになっている。
【００１３】
図３には、図２のＡ−Ａ線の断面図が示されており、井桁上の脚５上に、中央部に空洞スペースを有するフレーム３１で補強された固定天板２が支持されており、この空洞スペース内に筒状の天板保持枠３に保持された肉薄天板部４が、周辺に配置される固定天板２に対して昇降自在になるように、天板保持枠３には、昇降軸９に相対回転不能に設けられた天板保持枠支持板２０が取り付けられている。
【００１４】
昇降軸９の下方には、下端部の中径より上方へ天板保持枠３に保持された肉薄天板部４の昇降を可能にする第２回転軸格納孔２１が中空形成されており、回転軸格納孔２１の先端部には雌ねじ部２７が形成されている。さらに昇降軸９の側部には、昇降軸９の回転を阻止するスプライン溝２２が形成されており、このスプライン溝２２が昇降ガイド杵７に設けられたピン２３にスプライン連結されて、前記昇降軸９が昇降ガイド杵７内を回転規制状態で昇降できるようになっている。
【００１５】
この昇降機構は、一方端部にハンドル６を有し他方端部に傘歯車２４を有する回転軸２５と、一方端部に傘歯車２６を有し他方端部が前述の回転軸格納孔２１の先端部に設けられた雌ねじ部２７に螺合された雄ねじ杆２８と、から構成されており、回転軸２５の傘歯車２４と雄ねじ杆２８の傘歯車２６とは、回転軸支持部２９で歯合している。
【００１６】
この昇降機構のハンドル６の回転操作により、前述の天板保持枠３と、永久磁石１０と円周歯車１２と軸受けリング１８とを有する円板状の磁石支持部材１１と、アングル１９を介して昇降軸９に支持された駆動装置１３と、昇降軸９に相対回転不能に設けられた天板保持枠支持板２０と、が前述のフレーム３１内に格納されるように構成されている。
【００１７】
次に、前記空洞スペース内を昇降軸９で昇降自在になっている天板保持枠支持板２０および筒状の天板保持枠３と一体の肉薄天板部４の内部について説明すると、特に図３、４に示されるように、肉薄天板部４の下方には、磁性体もしくは永久磁石からなる第１磁性部材がほぼ等間隔に外周近傍位置に複数配置された円板状の磁石支持部材１１が設けられている。本実施例の場合は第１磁性部材が永久磁石１０である。円板状の磁石支持部材１１の下面には円周歯車１２が固定され、アングル１９を介して駆動装置１３が昇降軸９に支持され、該駆動装置１３の上部には駆動力を円周歯車１２に伝達するための駆動力伝達ギア１４が設けられている。
【００１８】
さらに、昇降軸９の上端部には磁石支持部材回転ベアリング１５が外嵌されており、この磁石支持部材回転ベアリング１５に磁石支持部材１１の中心部に固着された軸受けリング１８を嵌入するように構成されている。また、１７は磁石支持部材回転ベアリング１５の離脱を防止するための抜け止め具である。なお図５は本実施例の天板を取り外した平面図である。
【００１９】
前記肉薄天板部４上には、前記第１磁性部材である永久磁石１０に影響される、すなわち、図６に示されるように、吸引若しくは反発される磁性体もしくは永久磁石からなる第２磁性部材１６を有する搬送物８が載置されるようになっており、この搬送物８は実施例では皿であるが、利用形態によっては、ファイルなどのステーショナリーその他テーブル上を移動させたい物品であれば何でも良い。
【００２０】
また、配給テーブル１の所定箇所、例えば固定天板２の下面側に、前記円板状の磁石支持部材１１を回動させる前記駆動装置１３のオン・オフ機能を有するスイッチ３２が設けられている。このスイッチ３２には、図示しないが駆動装置１３の正転と逆転の駆動を選択できる機能が備わっており、スイッチ３２の操作で搬送物の方向を変化できるようになっている。
【００２１】
したがって、本実施例によれば、天板の非磁性体の肉薄天板部４に、移動させたい搬送物８を載置し、駆動装置１３を駆動させて円板状の磁石支持部材１１を回動させ、第１磁性部材である永久磁石１０を循環移動させるだけで、天板自体を回動することなく搬送物８のみを自動的に回動できることになる。したがって、回転台や回転の必要ない物品を移動させないために駆動力が少なくてすみ、かつテーブルで作業する者や飲食者に迷惑もかからず、配給テーブル上の搬送物を容易に且つ安全に取り扱うことができることになる。
【００２２】
前記第１磁性部材である永久磁石１０は、円板状の磁石支持部材１１の外周部近傍に所定数配設されており、前記磁石支持部材１１は非磁性体の前記肉薄天板部４の下方近傍を移動するようになっているため、肉薄天板部４は磁気の影響を受けず、また磁石の磁場にも影響を与えることがないばかりか、磁石支持部材１１外周に広がる長い弧の部分を利用して、永久磁石１０を配置できるため、これら永久磁石１０の個数を自由に選択できることになる。
【００２３】
さらに、肉薄天板部４は、筒状の天板保持枠３に保持され、かつ周辺に配置される固定天板２に対して第１磁性部材である永久磁石１０とともに昇降自在に配置されており、ハンドル６を回して肉薄天板部４を固定天板２に対して相対的に高さを変えて利用することにより、搬送物８の移動する通路部分と、搬送物の通路でない利用可能位置とを容易に区別できることになる。また、肉薄天板部４と固定天板２とを同レベルで使用すると一般のテーブルのように広い天板の利用が可能となる。
【００２４】
さらに、配給テーブル１の所定箇所、例えば固定天板４の下面側に、前記円板状の磁石支持部材１１を回動させる前記駆動装置１３のオン・オフ機能を有するスイッチ３２が設けられているため、利用者はテーブルに面した状態で搬送物８の回動のオン・オフ制御ができることになる。また、このスイッチ３２には、駆動装置１３の正転と逆転の駆動を選択できる機能が備わっており、スイッチ３２の操作で搬送物の方向を変化させることができるようになっているため、搬送物８の搬送効率を高めることができることになる。
【００２５】
図７には、別の実施例の肉薄天板を取り外した平面図が示されており、固定天板２と、該固定天板２に支持されたフレーム３１と、中心部より放射状に延設された磁石支持部材３４と、該磁石支持部材３４の先端近傍に配置された永久磁石３３と、抜け止め具１７と、脚５と、から構成されており、第１実施例と同じように、駆動装置１３を駆動させて、放射状に延設された磁石支持部材３４を回動させ、前記永久磁石３３を循環移動させるだけで、天板自体を回動することなく搬送物８（図２参照）のみを自動的に回動できることになる。なお、昇降機構は全て第１実施例と同じである。
【００２６】
本実施例のように、中心部より放射状に延設された磁石支持部材３４を使用することによって、磁石支持部材を軽量化することでき、回転台や回転の必要ない物品を移動させないために駆動力が、より少なくてすみ、かつテーブルで作業する者や飲食者に迷惑もかからず、配給テーブル上の搬送物を容易に且つ安全に取り扱うことができることになる。
【００２７】
図８には、別の実施例の配給テーブルの使用例が示されており、略４角形に形成された固定天板３５と、前記固定天板３５の中心寄りに設けられ、搬送物３９が載置された少なくとも非磁性体からなる肉薄天板部３６と、脚３８と、ハンドル４０と、昇降ガイド杵４１と、から構成されており、前記搬送物３９が載置された肉薄天板部３６は、筒状の天板保持枠３７に保持され、かつ周辺に配置される略４角形の形成された固定天板３５に対して昇降自在になっている。なお、昇降機構及び駆動措置の構成は第１実施例と同じ時に付説明を省略する。
【００２８】
このように固定天板３５が略４角形の成形されていると、昇降機構を操作し、肉薄天板部３６と、固定天板３５とを同レベルで使用すると、広い天板の利用が可能になるばかりか、対面式のテーブルと同様な構成になり、搬送物３９は実施例では皿であるが、テーブル上を移動させたい物品は、少なくとも磁性体が付帯してあればファイルなどでも搬送可能なため、配送テーブルの利用形態が飛躍的に広がる。
【００２９】
以上、本発明の実施例を図面により説明してきたが、具体的な構成はこれら実施例に限られるものではなく、本発明の要旨を逸脱しない範囲における変更や追加があっても本発明に含まれる。例えば、上記実施例では、昇降機構の昇降を手動でハンドル６を回転したが、駆動装置を用いても良い。
【図面の簡単な説明】
【００３０】
【図１】本発明の第１実施形態における配給テーブルの全体像を示す斜視図である。
【図２】本発明の第１実施形態における配給テーブルの使用例をを示す図である。
【図３】図２のＡ−Ａ線の断面図である。
【図４】図１の配送機構部の分解斜視図である。
【図５】本実施例の肉薄天板を取り外した平面図である。
【図６】図３の一部拡大断面図である。
【図７】別の実施例の肉薄天板を取り外した平面図である。
【図８】別の実施例の配給テーブルの使用例を示す斜視図である。
【符号の説明】
【００３１】
１    配給テーブル
２    固定天板
３    天板保持枠
４    肉薄天板部
５    脚
６    ハンドル
７    昇降ガイド杵
８    搬送物
９    昇降軸
１０    第１磁性部材（永久磁石若しくは磁性体）
１１    磁石支持部材
１２    円周歯車
１３    駆動装置
１４    駆動力伝達ギア
１６    第２磁性部材（永久磁石若しくは磁性体）
１５    磁石支持部材回転ベアリング
１７    抜け止め具
１８    軸受けリング
１９    アングル
２０    天板保持枠支持板
２１    回転軸格納孔
２２    スプライン溝
２３    ピン
２４    傘歯車
２５    回転軸
２６    傘歯車
２７    雌ねじ部
２８    雄ねじ杆
２９    回転軸支持部
３１    フレーム
３２    スイッチ
３３    永久磁石
３４    磁石支持部材
３５    固定天板
３６    肉薄天板部
３７    天板保持枠
３８    脚
３９    搬送物
４０    ハンドル
４１    昇降ガイド杵
【図１】
2005143673.tif 000003
【図２】
2005143673.tif 000004
【図３】
2005143673.tif 000005
【図４】
2005143673.tif 000006
【図５】
2005143673.tif 000007
【図６】
2005143673.tif 000008
【図７】
2005143673.tif 000009
【図８】
2005143673.tif 000010